(57)【要約】      （修正有）【課題】多段階別の磁性力強度の挿入器の選択を可能とした新磁器治療システムを提供する。【解決手段】広く国民の間で高まる健康志向に沿った磁気治療器を磁気強度の段階別に整備された永久磁石搭載の挿入器を消費者又は患者さんの時々の要望に合わせて適切に選択し、腕バンド、下着等の各種基体に自在に着脱できる、革新的な利便性を持つ新磁気医療器システム。【選択図】図１
2019093080.tif 000002
【特許請求の範囲】
【請求項１】
人肌に優しく吸湿性及び保温性に優れた木綿撚糸又はオーガニック木綿撚糸を主体としたガーゼ織物、タオル織物又は双方を混紡した織物で抗菌加工された着磁腕巻きバンド類、足巻きバンド類、リストバンド類、その他バンド類、手袋類、靴下類、下着類、衣服類等の各種基体の単数又は複数個所に収納容器を施設し、消費者又は患者さんが時々の状況に応じて要望する磁気強度の段階別に着磁機器により着磁され整備された市販の永久磁石を搭載した挿入器を、消費者又は患者さんが時々の状況に応じて希望する磁気強度の段階に沿ってより正確な選択ができ、各種基体の収納容器に着脱自在に収納できる新磁気治療器システムを構築し消費者又は患者さんに広範囲で効率的な選択肢を提供できる発明。
【請求項２】
上記［請求項１］に記述の各種基体に円形又は異形の収納容器を単数又は複数施設し、多段階別に着磁機器で着磁及び整備された市販の永久磁石搭載の挿入器を着脱自在に収納だけでなく、時計、スマートウオッチ、スマートフォン、電子マネーチップ、ＩＤチップ、電子スイッチ、宝飾品、ＬＥＤライト、歩数計、心拍計、血圧計、その他生体情報収集・分析器、カロリー消費計、センサー、ＧＰＳ端末、Ｂｌｕｅｔｏｏｔｈ，その他通信端末器等を外部クラウドと連携可能状態で単体又は複合体として搭載でき、一方で円形又は異形の各種挿入機器をＴＰＯに応じて挿入、着脱の反復操作を平易に実施できることも可能であり、その場合各種挿入器を頻繁に取り出し、各種基体に付着した汗、匂い又は汚れを頻繁に洗濯機等で水洗いし乾燥させれば、抗菌性能を施設した各種基体の清潔さと抗菌性を常時保持でき、美観の維持を可能とし、収納容器を構成するコの字型金属製リムで基体を挟み込み金属製コの字部分の上下端出部を上下からカシメ留めで各種基体に固着させる構造物を構築する結果、一般的な接着剤の性質として水に溶けやすく接着機能が劣化する弱点を持つ接着剤の使用を排除でき、一方で洗濯機の水洗いでも耐える構造物として提案できる新磁気治療器システムの発明。
【請求項３】
上記［請求項１、及び２］に記述の腕巻きバンド類等の各種基体に円形又は異形の空洞を単数又は複数施設し、空洞側面に沿って成形されたコの字型金属製のリムで空洞側面を覆い、リムの外側に突き出した金属製コの字型部分の上下に端出した部分を基体に挟み込んで上下からカシメ留めで固着し、基体から生地のほぐれ、ほつれの発生を防止し、挿入器を基体から自在に取り外し、基体を洗濯機で丸ごと水洗いできる構造物の発明であり、挿入器の外側側面の中央部を僅かになだらかな凸状に構築し、一方の収納容器の内側側面の中央部を僅かに凹状に構築し、挿入器と収納容器が相互に軽く勘合し、消費者または患者さんが挿入器の表面又は裏面を指で押し、挿入器を容易に着脱できる技術を具備した新磁気医療器システムを構築ができる発明
【請求項４】
上記［請求項１，２及び３］に記述の新磁気治療器システムの主たる構成物である挿入器に搭載される市販の永久磁石を磁性強度別の多段階に区分し、着磁機器の活用によって▲１▼微弱な０，３−０，５ガウス、▲２▼弱な２００−８００ガウス、▲３▼中強な８００−１，５００ガウス、▲４▼強な１，５００−２，０００ガウス、等のガウス別の多段階に着磁された複数の挿入器にはそれぞれ個別の表記号印字又は個別の色彩を施し、消費者又は患者さんの時々の状況に応じて異なる要望に対応できる挿入器の分別選択が可能な新磁気治療器システムを構築する。
【請求項５】
上記［請求項１，２，３、及び４］に記述されている磁気治療器を搭載した挿入器と同様に、スマートウオッチ、歩数計、血圧計、脈拍計、体温計、カロリー消費計、各種生体情報収集・分析器、ラップ計測器、電子スイッチ、電子マネーチップ、各種ＩＤチップ、各種センサー、ＧＰＳ端末、Ｂｌｕｅｔｏｏｔｈ、送受信端末類を外部クラウドに連携可能状態とし、単体又は複合体で搭載した各種挿入器を各種基体に単数又は複数施設された収納容器に挿入し、各種挿入器が収納された各種基体を着用している消費者又は医療機関内外の患者さんのご同意を得て皆さんの生体情報、健康情報、医療情報、位置情報、及びその他情報を収集・分析し、それらのデーターを外部クラウドに連携し情報管理センタ―、ナースステーション又はライフケア・センターに送信し、着用者の皆さんの健康情報、生体情報、位置情報、医療情報等を、適切な診断、アドバイス、アラーム等の情報として着用者の皆さんに直接又は間接にリアルタイムに発信できる医療ケアを含むライフケア・システムの構築を促進、向上し、生活者及び医療機関内外の患者さんの健康管理、医療管理，見守り管理、遠隔管理等を包括したトータル・ライフケア・システムの構築にも貢献できる新磁気治療器システムの発明。
【発明の詳細な説明】
【技術分野】
【０００１】ガーゼ織物、タオル織物又は両者混合の織物で構成された下着類、バンド類等の各種基体に収納容器を単数又は複数個所に施設し、磁性強度を微弱、弱、中強、強等の多段階に整備された各種永久磁石を搭載した挿入器を収納容器に着脱自在に収納し、挿入器の底面が着用者又は患者さんの人肌に直接接触し、血行促進効果及びコリの発症予防又は解消効果の向上を促し、消費者又は患者さんが時々の状況に応じて要望する多段階別の磁性強度に応じた挿入器を選択し各種基体に着脱自在に収納できる新磁気治療器システムの開発技術に関する
【背景技術】
【０００２】健康志向の高まりとは反対に、社会生活環境、及び私生活環境の複雑化、多様化が進行し、生活者を取り巻くストレスの増大現象が現出し、自律神経失調に由来する血行不順、コリの発症等の現象が増大しつつあり、これらの増大する悪現象の解消のために、消費者又は患者さんが着用する下着類、衣服類、腕巻きバンド類、足巻きバンド類、その他バンド類、靴下類、手袋類等の各種基体の単数又は複数個所に収納容器を施設し、磁性強度を多段階別に分離整備した永久磁石を搭載した個別挿入器を収納容器に挿入し、消費者又は患者さんが時々の状況に合わせて要望する磁性強度に相応しい挿入器の底面が直接人肌に接面し血行促進の向上、コリの解消向上等の健康生活、及び精神生活の改善及び向上に貢献できる新磁気医療器システムを開発する技術に関する。
【先行技術文献】
【特許文献】
【０００３】
【特許文献１】特願２０１６−０９９９６１
【特許文献２】特願２０１４−２２９７６７
【特許文献３】特願２００９−２５４９０５
【特許文献４】特願２００７−１３５７３９
【発明の概要】
【発明が解決しようとする課題】
【０００４】従来技術（特許文献１の［請求項１］）で開示されている歩数計付きリストバンド類、バンド類、下着類及び衣服類の各種基体には磁気治療器を搭載した挿入器が整備記載されていないため、着用者又は患者の医療促進補助に貢献できず、本発明により磁性力強度を多段階別に区分した永久磁石を整備し、それらをそれぞれ搭載した多種類の挿入器を整備し、着用者又は患者さんが時々の状況に相応しい要望に即した多段階別の磁性力強度の挿入器の選択を可能とし、リストバンド類、腕巻きバンド類、足巻きバンド類、その他バンド類、靴下類、手袋類、下着類及び衣服類等の各種基体の単数又は複数個所に施設した収納容器に挿入できる新磁気治療器システムを構築し、着用者及び患者の医療促進補助用具としての利便性を確保し社会に貢献しようとする課題。【０００５】従来技術（特許文献２）ではＶ字型フェライト磁石が地磁気の影響を受けて地磁気と同程度の大きさの磁場を発生し、患者の幹部の血流が増加されることを特徴とする磁気治療器が開示されているが、その［請求項４］では発生する磁場の大きさが０，３ガウスから０，５ガウス以下と限定されているので、更なる磁場発生の大きい永久磁石を搭載した磁気治療器を多段階別に必要とする消費者又は患者さんの要望に対応できる新磁気治療器システムの開発を構築しようとする課題。【０００７】従来技術（特許文献３の［０００２］）にて開示されている説明では、当該特許申請者が市販している磁気治療器（ピップエレキバン（登録商標））には直径２０ｍｍの布製の基材の下面に設けられた粘着剤層のほぼ中央に８０〜１８０ミリテスラの磁場の強さを有する直径約５ｍｍ、厚さ約２，５ｍｍのフェライト磁石からなる円盤状を呈した粒状磁石体が設けられているとされているが、消費者又は患者さんが要望する時々の状況に応じた微弱な磁性強度から始まる多段階別の磁性強度の磁場を発生させる磁気治療器の必要性に対応すべく、新磁気治療器システムの構築をしようとする課題【０００８】従来技術、（特許文献４の［００１９］［００９２］）にて開示されている永久磁石は、フェライト磁石等の強力な磁力（例えば２，０００ガウス）を有する金属磁石とすることが望ましい、とされているが、消費者又は患者さんが強磁力によって人体に及ぼす副作用発症の危険性及び現出を回避し、穏やかな磁場の発生で長時間かけてゆっくりと治癒し、副作用発症の危険性又は現出を極力回避したいという要望に対応すべく多段階別に磁場強度を分離整備した挿入器を選択できる新磁気医療器システムの構築をしようとする課題。【０００９】一般に各種の材料を採用した永久磁石の磁気治療器が多種類にわたって存在するが、人体に金属アレルギーを発症させる原因物質コバルトを含むサマリュウム―コバルト系磁石の場合には、消費者又は患者の人体に長時間接触させることによる影響の回避が求められ、これに代わる磁石材料の採用を構築しようとする課題。【００１０】更にネオジウムー鉄―ボロン系磁石には腐食しやすい物質である鉄を含有しているので、長時間にわたって着用し続ける場合、使用中に錆が発生するリスクを回避する必要があるので、それに対応できる磁石材料の腐食防止を構築しようとする課題
【課題を解決するための手段】
【００１１】本発明は、上記の［０００６］［０００７］［０００８］の課題をそれぞれ解決する為に、着磁器機の活用により磁場の発生強度を微弱、弱、中、強等の多段階に分離独立させた永久磁石を個別に搭載したそれぞれの挿入器を整備し、消費者又は患者さんが時々の状況に応じて要望する磁性強度別にそれぞれ相応しい永久磁石搭載の挿入器を選択し、下着類、衣服類、手袋類、靴下類、腕巻きバンド類、足巻きバンド類、リストバンド類、その他バンド類等の各種基体の単数又は複数の個所に収納容器を施設し、挿入器を着脱自在に収納できる利便性の高い新磁気治療器システムの発明である【００１２】本発明は人体に直接磁力線を及ぼすことにより血行を促進するのに相応しい磁石の材料としては、上記［０００９］記載の問題解決策として金属アレルギーの発症を回避できる市販の永久磁石を採用する。【００１３】上記［００１０］記載の問題解決策としては、採用する市販の永久磁石が錆易いい場合の腐食防止策としてリン酸アルミニュウム系塗料の加熱処理を加えた塗布を施し、磁石表面に防食被膜を形成し、長期の使用に耐える腐食防止策を施し解決する【００１４】微弱、弱、中強、強等の多段階別に着磁機器で着磁された磁性発生強度を分離独立させた市販の永久磁石を個別に搭載した単数又は複数の挿入器を、腕巻きバンド類、足巻きバンド類、リストバンド類、その他バンド類、靴下類、手袋類、衣服類、下着類、サポーター類等の各種基体に施設された単数又は複数の収納容器に挿入し、各種基体を貫通した挿入器の底面が人肌に直接接触する新磁気治療器システムの構築技術の発明。
【発明の効果】
【００１５】一般に市販されている各種磁気治療器は数多く存在するが、それぞれは供給者サイドの都合により予め限定された磁場強度の発生に固定されており、消費者又は患者さんが時々の状況に応じて要望する磁場強度発生の適切な磁気治療器の選択乃至は捕捉に支障を余儀なくされてきたが、本発明が新たに提案する新磁気治療器システムは、上記［００１４］記載のシステム構築により消費者又は患者さんが直面している選択肢の極めて少ないという不便な問題を解決する役割を果たし、消費者又は患者さんの要望により正確に対応でき、問題解消のための解消策の選択肢を拡張し、経済的に派生する無駄を省き、円滑な健康生活乃至医療生活の向上、進展に寄与でき医療費抑制等の社会厚生上の効果がある。【００１６】本発明で採用する市販されている永久磁石の場合は、金属アレルギーの原因となるＨｇ，Ｎｉ，Ｓｎ，Ｃｏ，Ｃｒ，Ｐｄ等の元素が含まれていない材料を選択採用するため、消費者又は患者さんの人体の表面に長時間継続的に当接してもかぶれ、かゆみ等のアレルギー症状の発症を回避できる効果がある。【００１７】本発明で採用する永久磁石の材料が腐食性のある鉄分を含む場合には、リン酸アルミニュム系塗料を表面に塗布し更に加熱処理を加え、表面に光沢のある防食被膜を形成し、長時間消費者又は患者さんの人体の肌に当接しても錆の発生を予防できる効果を現出できる。
【産業上の効果】
【００１８】本発明は、従来技術（特許文献１の［請求項１］）に新たに磁気医療器の挿入器を追加施設し、新磁気医療器システムの構築を現出し、従来技術（特許文献２）で開示されている弱い磁性濃度の永久磁石の磁性強度の強化を要望する消費者又は患者さんの要望に対応し、従来技術（特許文献３）で開示されている中程度の磁性強度の永久磁石に固定された磁気治療器の選定に縛られずに磁性強度の多段階な磁気治療器の提案による選択肢の幅を広げられる利便性を消費者又は患者さんに提案し、従来技術（特許文献４）に開示されている強い磁性強度に限定されている磁気治療器の選択着用により惹起する消費者又は患者さんの人体に及ぶ副作用の危険性又は現出を回避できる新磁気治療器システムの提案をし消費者又は患者さんに的確で無駄のない経済効率の高い磁気治療器の採択の機会をより多く現出でき、消費者又は患者さんの幅広い着用機会の現出を拡張でき、結果的に同システムに採用される挿入器及び収納器はそれぞれ単一の同規格製品として大量生産効果を現出でき、その結果、安価な製品産出及び安価での製品提供の経済効果を現出し、新磁気治療器システムの導入で消費者又は患者さんの健康生活、医療生活の改善、向上に幅広く寄与し、社会厚生上の医療生活の向上改善問題と医療費抑制問題の解決に貢献できる産業上の効果。
【図面の簡単な説明】
【００１９】
【図１】  本発明の実施形態を示す磁気治療器を収納した腕巻きバンドの正面構成図
【図２】  本発明の実施形態を示す磁気治療器を収納した腕巻きバンドの側面断面図
【図３】  本発明の実施形態を示す挿入器に埋設される永久磁石の側面外観図
【図４】  本発明の実施形態を示す腕巻きバンドの基体の空洞に固定した金属製コの字型リムの端出上下部分で基体をカシメ留めした収納容器の断面図
【図５】  本発明の実施形態を示す腕巻きバンドの基体に施設された収納容器の内側面に僅かな凹状と、挿入機器の外周側面に僅かな凸状とを勘合させた断面図
【発明を実施するための形態】
【００２３】以下、本発明の実施の形態を腕巻きバンドを一例にして図１〜図６に基づいて説明する。
【００２４】図１において人肌に優しい木綿又はオーガニック木綿を主体としたタオル生地又はガーゼ生地の織物で構成された腕巻きバンドの基体に各種磁性強度の永久磁石を搭載した挿入器収納した磁気治療器の正面構成図を示す。
【００２５】図２において、上記［図１］で説明した磁気治療器の側面断面図を示す。
【００２６】図３において、着磁機器により着磁された多段階の磁性強度の永久磁石とその表面に処理された被膜の全体側面図を示す。
【００２７】図４において、腕巻きバンドの基体の空洞に施設された円形または異形の収納容器に、上記［図３］の円形又は異形の永久磁石が搭載された挿入器をコの字型金属製リムの上下に分割端出された金属部分で基体を挟み込んで端出部分を上下からカシメ留めで固着された円形又は異形の収納容器の側面の横断図を示す。
【００２８】図５において、金属製収納容器の内側面に僅かななだらかな凹状を形成し、更に挿器の外周側面に僅かななだらかな凸状を形成し、挿入機器が収納されたり取り外したりの反復操作が指先での圧入又は押し出しで容易に行われやすい構造の断面図を示す。
【符号の説明】
【００２９】    １…抗菌性腕巻きバンドに挿入収納され永久磁石挿入器
２ａ…腕巻きバンドの基体
２ｂ…防水型挿入容器の外周部上面
２ｃ…防水型挿入容器のガラス風防部
２ｄ…防止型挿入容器に埋蔵された永久磁石
２ｅ…永久磁石の表面に塗布加工された被膜
３ａ…金属製収納容器のコの字型リム
３ｂ…金属製収納容器のコの字型リムのカシメ用上下端出部
３ｃ…基体の中央に収納容器用に施設された空洞
４ａ…防水型挿入器外周部の僅かでなだらかな凸状側面
４ｂ−−収納容器内周部の僅かでなだらかな凹状側面
【図１】
2019093080.tif 000003
【図２】
2019093080.tif 000004
【図３】
2019093080.tif 000005
【図４】
2019093080.tif 000006
【図５】
2019093080.tif 000007